(57)【要約】      （修正有）【課題】缶飲料の缶の上部飲み口部を、出荷時の衛生状態を消費者の飲用直前まで、保持させる飲み口側缶カバー及び飲料用缶を提供する。【解決手段】飲料用の缶において、消費者が飲用時に直接缶に口を付ける部分を、飲料用の缶と同素材にて作られた高さ３ｃｍ程度の筒状の缶カバーＡであって、開口側の円周上に、数か所の直径が数ミリ程度の半球状の凹みＤの加工を施し、缶カバーＡの内側に半球状の出っ張りを設け、飲料用缶Ｂの飲み口側及び底部側に、出っ張りが嵌合する凹みＣ２を設けた。飲用時はその缶カバーを缶底部側に被せ一体化し、飲み残しの保存時は缶カバーを上部飲み口部に戻し埃等埃から守る。【選択図】図１
0003204002.tif 000002
【実用新案登録請求の範囲】
【請求項１】
飲料用の缶（アルミ缶、スチール缶等）の飲み口側に覆いかぶせる、缶と同素材にて作られた、「飲料用缶の飲み口側缶カバー（蓋）」。
形状としては、飲料用缶の底部側を底から高さ３Ｃｍ程度にて切り取った部分と酷似した形状の物で、飲料用缶の飲み口側にぴったりと被せられる程度に直径を増加させた物。
飲料用缶に被せた際、一番奥まで被せた状態を保持する為のロック機構として、この「飲料用缶の飲み口側缶カバー」の最下部の円周上に、数か所の直径２〜３ｍｍ程度の半球状の凹み（カバーの内側は半球状の出っ張り）の加工を施す。
【請求項２】
現存の飲料用の缶（アルミ缶、スチール缶等）に対し、前記“請求項１”の「飲料用缶の飲み口側缶カバー」を、飲料用缶の上部飲み口側に被せた時、一番奥まで被された状態を保持するためのロック機構として、飲料用缶に対し前記請求項１「飲料用缶の飲み口側缶カバー」の半球状の出っ張りの届く高さの飲料用缶の円周に、幅と深さが３ｍｍ程度の凹んだ輪の加工を施し、前記缶カバーの半球状の出っ張りが、この飲料用の缶の輪状の凹みにパチンとはまるように加工を加える。
また前記缶カバーが飲用時には外す事により邪魔になるので、底部に被せ替える事が可能なように、上部と同様に底部にも缶カバーの出っ張りが届く高さの円周に３ｍｍ程度の凹んだ輪の加工を施す。
【考案の詳細な説明】
【技術分野】
【０００１】本考案は、飲料用の缶の飲み口側に缶カバーを被せる事により、工場出荷時の衛生状態を飲用時まで保持させるものである。
また、缶カバーの素材を飲料用缶と同様とする事により、飲用後の廃棄方法（リサイクル）も飲料用缶と同じとし、缶カバーの分別廃棄の手間を省くとともに、運搬中や販売時等の振動による缶カバーの外れも起きぬよう、飲料缶と同じ強度のものとし、外れ防止のロック機構も付加した。
【背景技術】
【０００２】飲料用の缶は、飲用時に口を付ける部分は、飲料として工場出荷後は、飲用する時まで剥き出しの状態のままで扱われ、衛生状態を保つ為の保護はされておらず、衛生上の問題があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】飲料用の缶は、飲料として工場を出荷後、様々な過程を経て消費者に渡る。
従って飲料用の缶の直接口を付ける部分の衛生状態は、その過程の衛生状態に影響され、実際に口を付けて飲む時も工場出荷時と同等の衛生が保たれているとは言い難い。
例えば自動販売機への補充時や販売機内部及び取り出し口の衛生状態、店舗陳列時の環境、家庭での保管場所の衛生状態等々、飲料缶の飲み口部分は常にそれら環境に晒されており、場合によっては人間や動植物（特にゴキブリ等の害虫）の持つ各種細菌や埃等の付着の可能性が考えられ、直接口をつける部分としては決して衛生的とはいえない。
そこでこの飲料用缶自体の、口を付ける缶上部の部分に、この缶カバーを被せて出荷する事により、工場出荷時の衛生状態を飲用直前まで保持させようというものである。
【課題を解決するための手段】
【０００６】本考案は、飲料用缶の上部の飲み口側の、飲用時に口を付ける上部の部分に、缶と同様の素材と加工方法（太さの直径は飲料用缶に被せるため、缶の厚みの２倍＋α程度の太さを加味）にて作られた、高さ３Ｃｍ程度の缶カバーを、飲料充填後に被せる事により、飲料缶の飲み口部分の衛生状態を、実際に人が飲用する時まで保とうというものである。
この「飲料用缶の飲み口側缶カバー」の形状は、飲料用缶の底部を高さ３Ｃｍ程度で切り取った形状をしており、飲料用缶にかぶせる分だけ直径を大きくした物である。
飲料用缶に被せた際、一番奥まで被せた状態を保持する為のロック機構として、この「飲料用缶の飲み口側缶カバー」の最下部の円周上に、数か所の直径２〜３ｍｍ程度の半球状の凹み（カバーの内側は半球状の出っ張り）の加工を施す。
また、飲料用の缶にはこの「飲料用缶の飲み口側缶カバー」を被せた際その状態を保持するロック機構として、「飲料用缶の飲み口側缶カバー」の半球状の出っ張りを受け止める為の、幅と深さが３ｍｍ程度の凹んだ輪の加工を、被せた際の出っ張りに合わせた高さの位置に施す。
飲用時に外された「飲料用缶の飲み口側缶カバー」は、飲料用の缶の底部に被せ替えることが可能なように、同様の凹んだ輪の加工を下部にも施すが、この輪の位置は、飲料用缶の外側缶底部が「飲料用缶の飲み口側缶カバー」の内側の底部面に触れない程度浮かせた（離れた）部分とする。
【考案の効果】
【０００７】上述の様に、この「飲料用缶の飲み口側缶カバー」を被せて出荷する事により、飲料用缶の飲み口の部分は、飲用直前まで出荷時の衛生状態が保持できる。
この「飲料用缶の飲み口側缶カバー」は飲用時には飲料缶の底側（缶底部）に嵌め替える事が出来るので邪魔にならないだけでなく、飲みきれなかった飲料を保存する際は、再度この「飲料用缶の飲み口側缶カバー」を缶底部から外し、飲み口側に嵌め戻すことにより、チリや埃の付着等から、飲み口を保護できる。
「飲料用缶の飲み口側缶カバー」は飲料用の缶と同素材で出来ているので、廃棄（リサイクル）時も従来と同様である。
【図面の簡単な説明】
【０００８】
【図１】本考案の「飲料用缶の飲み口側缶カバー」を飲料缶に被せた工場出荷時（飲用直前）の状態を、正面斜め上から見た図。
【図２】「飲料用缶の飲み口側缶カバー」を外し、飲料用缶の底部に嵌め替えた状態を、正面斜め上から見た飲用時の図。
【図３】飲用の為に「飲料用缶の飲み口側缶カバー」を飲料用缶から外した状態の動作図。
【図４】飲用の為に「飲料用缶の飲み口側缶カバー」を飲料用缶の底部に嵌め替えようとする動作図。
【図５】「飲料用缶の飲み口側缶カバー」を飲料用缶に被せる時のロック機構として螺旋状のネジ式とした場合の図。
【考案を実施するための形態】
【０００９】飲料を飲料用缶に充填後、「飲料用缶の飲み口側缶カバー」を缶上部の口を付ける側に被せて出荷し、消費者が購入後の飲用直前に、自身で「飲料用缶の飲み口側缶カバー」を飲料缶から外し、飲料用缶の缶底部に、反転させて嵌めこみ、飲用する。
飲料を全て飲み干さず、残りを一時保管する時は、缶底部の「飲料用缶の飲み口側缶カバー」を飲料用缶の上部の飲み口側に嵌め戻し、チリや埃、冷蔵庫の匂い移り、害虫等から口を付ける飲み口部分を保護する。
飲用後は、「飲料用缶の飲み口側缶カバー」を缶底部に嵌めたまま、従来同様に廃棄（リサイクル）する。
【実施例】
【００１０】以下、添付図面に従って、一実施例を説明する。
Ａは「飲料用缶の飲み口側缶カバー」であり、飲料用缶の上部にも下部へも嵌めこむ事が可能（缶底部に嵌め込む際は天地を反転させ嵌め込む）。
Ｂは飲料用缶であるが、Ｃ１、Ｃ２とそれぞれ「飲料用缶の飲み口側缶カバー」の抜け防止の為のＤの出っ張りがパチンは嵌るように飲料用缶の上部と下部に、飲料用缶の外周に沿って輪状の凹みを加える。
このＣとＤはそれぞれ凹と凸の組合せでも、凸と凹の組合せでも可能。
ＥはＣ１、Ｃ２を螺旋状にし、Ｄもそれに位置的に合致する位置とした、ネジ式とした場合である。
【産業上の利用可能性】
【００１１】今日、Ｏ−１５７に代表される食中毒や、インフルエンザなどの流行等、人々の周りには害となる菌が溢れていると言っても過言ではない。
少しでもこれらリスクを回避する為に手洗いの励行等、推奨されているが、肝心の口を付ける部分が飲料用缶に於いては、何も保護されておらず、商品の外側ケースに直接口を付けているという不衛生さである。
本考案は衛生的観点から、従来の飲料用缶と安全・安心面で大きな差別化が可能である。
【符号の説明】
【００１２】Ａ    「飲料用缶の飲み口側缶カバー」
Ｂ    飲料用缶
Ｃ１  「飲料用缶の飲み口側缶カバー」を保持する為の、飲料用缶の飲み口側の輪状の凹      み（或いは凸）
Ｃ２  「飲料用缶の飲み口側缶カバー」を保持する為の、飲料用缶の缶底部側の輪状の凹      み（或いは凸）
Ｄ    「飲料用缶の飲み口側缶カバー」が軽度のショックで外れてしまわぬ様、飲料用缶      のＣ１もしくはＣ２に嵌る凸状（凹状）のポンチ状の出っ張り（凹み）
【図１】
0003204002.tif 000003
【図２】
0003204002.tif 000004
【図３】
0003204002.tif 000005
【図４】
0003204002.tif 000006
【図５】
0003204002.tif 000007
【手続補正書】
【提出日】平成28年2月16日(2016.2.16)
【手続補正１】
【補正対象書類名】実用新案登録請求の範囲
【補正対象項目名】全文
【補正方法】変更
【補正の内容】
【実用新案登録請求の範囲】
【請求項１】
現在一般的に知られており、広く社会で利用されている飲料用の缶（一般的にアルミ缶、スチール缶と呼ばれる缶のことを指し、以降は飲料用缶と記述）の飲み口側に覆い被せる、飲料用缶と同素材にて作られた「飲料用缶の飲み口側缶カバー（蓋）」であって、形状としては、飲料用缶の底部側を底から高さ３Ｃｍ程度にて切り取った部分と酷似した形状の物で、飲料用缶の上部飲み口側にぴったりと被せられる程度に直径を増加させた物であり、飲料用缶に被せた際、一番奥まで被せた状態を保持する為のロック機構として、この「飲料用缶の飲み口側缶カバー（蓋）」の最下部（開いている側）の円周上に、数か所の直径がおよそ数ミリ程度の半球状の凹み（飲料用缶の飲み口側缶カバーの内側は半球状の出っ張りとなる）の加工を施したことを特徴とする「飲料用缶の飲み口側缶カバー（蓋）」。
【請求項２】
現在一般的に知られており、広く社会で利用されている飲料用の缶（一般的にアルミ缶、スチール缶と呼ばれる缶のことを指し、以降は飲料用缶と記述）に対し、前記“請求項１”の「飲料用缶の飲み口側缶カバー（蓋）」を飲料用缶の上部飲み口側に覆い被せた際、一番奥まで被された状態を保持するためのロック機構として、飲料用缶に対し前記“請求項１”の「飲料用缶の飲み口側缶カバー（蓋）」の内側の半球状の出っ張り部が届く高さの位置の円周上に、前記“請求項１”の「飲料用缶の飲み口側缶カバー（蓋）」の内側の半球状の出っ張りの直径とサイズが同程度の幅で、且つ半球状の出っ張りの半径とサイズが同程度の深さの、輪状の凹みをつける加工を施し、前記“請求項１”の「飲料用缶の飲み口側缶カバー（蓋）」の半球状の出っ張りが、この飲料用缶の輪状の凹みにパチンとはまるようにし、更に前記“請求項１”の「飲料用缶の飲み口側缶カバー（蓋）」が飲用時には、飲料用缶から取り外される事による紛失等を防止するため、飲料用缶の底部側に“請求項１”の「飲料用缶の飲み口側缶カバー（蓋）」を被せ替えても、その状態を保持可能なように、飲料用缶の上部飲み口側に施した凹んだ輪状の加工と同様のサイズと形状の輪状の凹みが、飲料用缶の底部側に被せ替えた際、一番奥まで被された時に前記“請求項１”の「飲料用缶の飲み口側缶カバー（蓋）」の半球状の出っ張りが届く位置にも加工の施された飲料用缶。